(57)【特許請求の範囲】
【請求項１】
筒状体と、該筒状体の外周面から外側に突出するとともに該筒状体の軸方向へ延在する取付リブとを備える竪樋を、外壁に支持固定する竪樋支持具であって、
面方向が互いに異なり、前記外壁に固定されるときにいずれか１つが選択されて前記外壁と当接する複数の当接面と、
該複数の当接面とそれぞれ対向する位置に形成され前記取付リブが嵌入可能な複数の嵌入溝とを備え、
前記複数の当接面から該当接面と対向する前記嵌入溝の頂部までの長さはそれぞれ異なることを特徴とする竪樋支持具。
【発明の詳細な説明】
【技術分野】
【０００１】
本発明は、住宅などの外壁に取り付けられて、竪樋を支持する竪樋支持具に関する。
【背景技術】
【０００２】
住宅などには、屋根から流れ落ちる雨水を受ける軒樋と、集水器や呼び樋を介して軒樋に接続され、軒樋に集められた雨水を排水管に導くための竪樋とを備えた雨樋が設置されている。竪樋を住宅などの外壁に設置するには、竪樋を外壁に支持、固定するための竪樋支持具を外壁に固定し、この竪樋支持具に竪樋を固定している。
【０００３】
従来より、竪樋支持具としては、竪樋の外周面に巻き回すように取り付けられて竪樋を締め付け保持する環状のバンド部と、このバンド部を外壁に固定する固定部とを備えたものが多用されている。
しかし、この種の竪樋支持具は、竪樋の外周面に環状のバンド部が露出し、外観を損なう場合があるため、近年では、外観を損なうことなく竪樋を固定支持することが可能な竪樋支持具が提案されている。
【０００４】
例えば、特許文献１に開示された竪樋の取付構造では、竪樋は、外周面から外側に突出し先端に膨出状の係止部を備えるとともに竪樋の軸方向へ延在する取付リブが形成されており、住宅などの外壁に固定され、この取付リブが嵌入される嵌入溝が形成された竪樋支持具に固定されることによって住宅などの外壁に支持されている。
【０００５】
この竪樋支持具は、嵌入溝に取付リブが嵌入されることで竪樋を支持しているため、従来の竪樋支持具に設けられているバンド部が不要となり、竪樋を支持している状態において竪樋の背面側、すなわち外壁側に隠れてしまうため、竪樋支持具が露出して外観を損なうことがない。
また、竪樋を住宅などの外壁に取り付けるときには、従来のバンド部を竪樋の外周に巻き回して固定する作業の代わりに、取付リブを嵌入溝に嵌入させる作業を行えばよいため、作業性がよく、効率よく竪樋を取り付けることができる。
【先行技術文献】
【特許文献】
【０００６】
【特許文献１】特開２０００−３４８１１号公報
【発明の概要】
【発明が解決しようとする課題】
【０００７】
竪樋支持具は、竪樋を住宅などの外壁に支持固定するとともに、外壁と竪樋とを所定の間隔に保持している。
そして、住宅などの外壁と竪樋との間隔は一定でないため、この間隔に対応できるように寸法の異なる多種類の竪樋支持具が製造されている。このため、竪樋を住宅などの外壁に取り付ける際には、外壁と竪樋とを所望の間隔に保持可能な竪樋支持具を多種類の中から選択して使用している。
また、多種類の竪樋支持具を使用せずに、竪樋支持具と外壁との間にスペーサを設置して外壁と竪樋とを所望の間隔に調整することもある。
【０００８】
しかしながら、外壁と竪樋との間隔に合わせた竪樋支持具を使用するためには、寸法別に多種類の竪樋支持具を用意する必要があり、竪樋支持具の選択や管理に労力がかかっている。
また、竪樋支持具と外壁との間にスペーサを設置する場合も、スペーサの選択や管理に労力がかかっている。
【０００９】
本発明が解決しようとする課題は、外壁と竪樋との間隔が異なる場合にも、その間隔に応じて竪樋を外壁に支持固定することができる竪樋支持具を提供することにある。
【課題を解決するための手段】
【００１０】
そこで、本発明は、上記課題を解決するために以下の手段を提供している。
請求項１に記載の竪樋支持具は、筒状体と、該筒状体の外周面から外側に突出するとともに該筒状体の軸方向へ延在する取付リブとを備える竪樋を、外壁に支持固定する竪樋支持具であって、面方向が互いに異なり、前記外壁に固定されるときにいずれか１つが選択されて前記外壁と当接する複数の当接面と、該複数の当接面とそれぞれ対向する位置に形成され前記取付リブが嵌入可能な複数の嵌入溝とを備え、前記複数の当接面から該当接面と対向する前記嵌入溝の頂部までの長さはそれぞれ異なることを特徴とする。
【発明の効果】
【００１１】
請求項１に記載の竪樋支持具は、面方向が互いに異なる複数の当接面のうち１つの当接面が外壁に当接するように固定され、外壁に当接している当接面と対向する位置に形成された嵌入溝に取付リブが嵌入されることで、竪樋を外壁に支持固定している。このとき、外壁と竪樋との間隔は、外壁に当接している当接面から取付リブが嵌入された嵌入溝の頂部までの長さと一致している。
このとき、竪樋支持具は、複数の当接面から該当接面と対向する嵌入溝の頂部までの長さがそれぞれ異なるため、これらの長さのうち外壁と竪樋との間隔と一致する長さの方向が外壁に直交するような向きで外壁に固定されることで、外壁と竪樋とを所望の間隔に保持した状態で竪樋を外壁に支持固定することができる。
【００１２】
そして、外壁と竪樋との間隔が異なる場合においても、竪樋支持具の取り付け向きを変更させることで、外壁と竪樋とを所望の間隔に保持した状態で竪樋を外壁に支持固定することができるため、寸法別に多種類の竪樋支持具を用意したり、竪樋支持具と外壁との間に設置するスペーサを用意したりする必要がなく、竪樋支持具の選定や管理にかかる労力を軽減させることができる。
【図面の簡単な説明】
【００１３】
【図１】本発明の第１実施形態による竪樋と竪樋支持具の一例を示す図である。
【図２】本発明の第１実施形態による竪樋の取付構造を示す断面図である。
【図３】本発明の第１実施形態による竪樋支持具の向きを変えて取り付けられた竪樋の取付構造を示す断面図である。
【図４】本発明の第２実施形態による竪樋支持具の斜視図である。
【図５】本発明の第３実施形態による竪樋支持具の上面図である。
【発明を実施するための形態】
【００１４】
（第１実施形態）
以下、本発明の第１実施形態による竪樋支持具について、図１乃至図４に基づいて説明する。
図１に示すように、第１実施形態による竪樋支持具１は、住宅などの外壁Ｔの壁面Ｔ１に取り付けられて、鉛直方向に延在する竪樋１１を支持している。本実施形態では、鉛直方向へ互いに所定の間隔をあけるように取り付けられた複数の竪樋支持具１が、１つの竪樋１１を支持している。
【００１５】
竪樋１１は、筒状に形成された筒状体１２と、該筒状体１２の外周面１２ａから筒状体１２の径方向外側に突出するとともに筒状体１２の軸方向へ延在する取付リブ１３とを備えている。
取付リブ１３は、軸方向に直交する断面視において略Ｔ字状に形成されていて、筒状体１２の外周面１２ａから径方向外側に突出する軸部１４と、該軸部１４の突出方向先端からこの突出方向に直交する方向両側へそれぞれ膨出するように形成された係止部１５と、を備えている。そして、竪樋１１には、筒状体１２と軸部１４および係止部１５に囲まれた溝部１６が形成されている。
なお、取付リブ１３は、筒状体１２の外周面から外側に突出していればよく、上記以外の形状としてもよい。
【００１６】
図１および図２に示すように、竪樋支持具１は、略直方体状に形成されていて、１つの面２Ａ（以下第１当接面２Ａとする）が壁面Ｔ１に当接して外壁Ｔから突出した状態で固定されるように構成されている。
そして、竪樋支持具１は、外壁Ｔに固定されたときの突出側先端に上下方向に延びる第１嵌入溝３Ａが形成されていて、この第１嵌入溝３Ａに取付リブ１３が嵌入されることで竪樋１１を支持するように構成されている。この第１嵌入溝３Ａと第１当接面２Ａとは対向するように設けられている。
また、図２に示すように、竪樋支持具１は、壁面Ｔ１と竪樋１１との間隔Ｄを所定の間隔に保持しており、第１当接面２Ａから第１嵌入溝３Ａの頂部３Ａａまでの長さＬは、この間隔Ｄと一致している。
【００１７】
図１および図２に示すように、竪樋支持具１には、第１嵌入溝３Ａを両側から挟むように配されて、弾性変形可能な一対の挟持部４が設けられている。
一対の挟持部４，４は、その間隔が取付リブ１３の係止部１５の幅寸法よりも小さい寸法に形成されていて、互いに離間するように弾性変形することで第１嵌入溝３Ａに取付リブ１３が挿入可能に構成されている。
【００１８】
また、一対の挟持部４，４は、竪樋１１側にそれぞれ他の挟持部４側へ突出する係止片５が形成されている。
図３に示すように、この一対の係止片５，５は、第１嵌入溝３Ａに取付リブ１３が嵌入されたときに、竪樋１１の溝部１６にそれぞれ挿入され、取付リブ１３を係止するように構成されている。
そして、一対の係止片５，５は、竪樋１１の溝部１６に挿入されたときに、竪樋１１側の端面が筒状体１２の外周面１２ａと当接し、壁面Ｔ１側の端面が取付リブ１３の係止部１５と当接するように構成されている。
【００１９】
また、一対の係止片５，５は、互いに対向する側の端面と竪樋１１側の端面との連続面５ａが、外側に凸状となる略円弧面状に形成されている。このため、取付リブ１３を第１嵌入溝３Ａへ嵌入させるときに、取付リブ１３の係止部１５を係止片５の略円弧面状の連続面５ａに押し付けると、取付リブ１３はこの円弧面状の連続面５ａにガイドされて壁面Ｔ１側へ移動するとともに、一対の挟持部４，４を互いに離間する方向に押し広げて弾性変形させ、一対の挟持部４，４の間隔を拡張させることができる。
これにより、取付リブ１３が第１嵌入溝３Ａに挿入され、第１嵌入溝３Ａに嵌入可能に構成されている。
【００２０】
図３に示すように、竪樋支持具１は、外壁Ｔに対する向きを変えて取り付けることができるように構成されている。
このため、竪樋支持具１が外壁Ｔに固定されるときに、第１当接面２Ａとは別に壁面Ｔ１と当接可能な第２当接面２Ｂが形成されている。第１当接面２Ａと第２当接面２Ｂは隣り合う面となるように構成されている。
【００２１】
そして、竪樋支持具１は、第２当接面２Ｂが壁面Ｔと当接するように外壁Ｔに固定されたときの突出側先端に、上下方向に延びる第２嵌入溝３Ｂが形成されている。この第２嵌入溝３Ｂと第２当接面２Ｂとは対向するように設けられている。
第２嵌入溝３Ｂは、第１嵌入溝３Ａと同様に構成され、一対の挟持部４，４および一対の係止片５，５を備えている。
図２および図３に示すように、竪樋支持具１が外壁Ｔに固定され竪樋１１を支持するときには、第１当接面２Ａと第２当接面２Ｂのうちいずれか一方が壁面Ｔ１と当接し、この一方と対向する嵌入溝に竪樋１１の取付リブ１３が嵌入される。
【００２２】
ここで、第１当接面２Ａから第１嵌入溝３Ａの頂部３Ａａまでの寸法を長さＬ１とし、第２当接面２Ｂから第２嵌入溝３Ｂの頂部３Ｂａまでの寸法を長さＬ２とすると、この長さＬ１と長さＬ２とは異なる寸法となるように構成されている。本実施形態では、Ｌ１＝４９ｍｍ、Ｌ２＝２４ｍｍとなっている。
【００２３】
また、竪樋支持具１には、第１嵌入溝３Ａと連通し第１嵌入溝３Ａから第１当接面２Ａ側へ貫通する第１貫通孔６Ａと、第２嵌入溝３Ｂと連通し第２嵌入溝３Ｂから第２当接面２Ｂ側へ貫通する第２貫通孔６Ｂとが形成されている。この第１貫通孔６Ａおよび第２貫通孔６Ｂには、竪樋支持具１を外壁Ｔに固定するための、ビス４１などの固定具が挿通可能に構成されている。
上記の竪樋支持具１は、例えば、ＡＥＳ、ＡＢＳ、ポリカーボネート、ポリ塩化ビニルなどの樹脂を用いて略直方体状に押出成形や射出成形で形成されている。
【００２４】
次に、竪樋１１の外壁Ｔへの取り付け方法について説明する。
まず、竪樋支持具１を外壁Ｔへ取り付ける。
このとき、第１当接面２Ａから第１嵌入溝３Ａの頂部３Ａａまでの長さＬ１と、第２当接面２Ｂから第２嵌入溝３Ｂの頂部３Ｂａまでの長さＬ２のうち、どちらが壁面Ｔ１と竪樋１１との間隔Ｄの寸法と一致するかを確認する。なお、本実施形態では、図２に示すように、長さＬ１が間隔Ｄと一致しているものとする。
【００２５】
そして、長さＬ１の方向が壁面Ｔ１と直交するように竪樋支持具１の向きを合わせ、第１当接面２Ａを壁面Ｔ１と当接させて、第１貫通孔６Ａへビス４１を挿通し、このビス４１を外壁Ｔに螺入させる。
本実施形態では、１つの竪樋１１を複数の竪樋支持具１で支持しているため、複数の竪樋支持具１を、互いに鉛直方向へ所定間隔をあけて配列されるように壁面Ｔ１へ固定する。
【００２６】
続いて、竪樋支持具１に竪樋１１を固定する。
まず、取付リブ１３を備えた竪樋１１を、壁面Ｔ１に取り付けられた竪樋支持具１近傍へ運び、竪樋１１の取付リブ１３と竪樋支持具１とを対向させる。
次に、竪樋１１を竪樋支持具１側へ移動させて、取付リブ１３の係止部１５を挟持部４の係止片５へ押し付ける。そして、取付リブ１３の係止部１５を挟持部４の係止片５へ押し付けることで、一対の挟持部４を互いに離間する方向へ弾性変形させ、一対の挟持部４間の第１嵌入溝３Ａへ取付リブ１３を嵌入させる。
これにより、図２に示すように、一対の挟持部４，４が取付リブ１３を挟持するとともに、挟持部４の係止片５が竪樋１１の溝部１６に挿入されて、竪樋１１が竪樋支持具１に支持されるため、竪樋１１が壁面Ｔ１に取り付けられる。
【００２７】
なお、図３に示すように、壁面Ｔ１と竪樋１１との間隔Ｄが、第２当接面２Ｂから第２嵌入溝３Ｂの頂部３Ｂａまでの長さＬ２と一致している場合は、長さＬ２の方向が壁面Ｔ１と直交するように竪樋支持具１の向きを合わせる。そして、第２当接面２Ｂを壁面Ｔ１と当接させて、第２貫通孔６Ｂへビス４１を挿通し、このビス４１を外壁Ｔに螺入させて竪樋支持具１と外壁Ｔへ固定する。
続いて、第２嵌入溝３Ｂへ竪樋１１の取付リブ１３を嵌入させる。これにより、竪樋１１が外壁Ｔに取り付けられる。
【００２８】
次に、上述した第１実施形態による竪樋支持具１の効果について図面を用いて説明する。
第１実施形態による竪樋支持具１では、第１当接面２Ａから第１嵌入溝３Ａの頂部３Ａａまでの長さＬ１と、第２当接面２Ｂから第２嵌入溝３Ｂの頂部３Ｂａまでの長さＬ２とがそれぞれ異なるため、これらの長さＬ１，Ｌ２のうち壁面Ｔ１と竪樋１１との間隔Ｄと一致する長さの方向が壁面Ｔ１から突出する方向となる向きで固定されることで、壁面Ｔ１と竪樋１１とを所望の間隔Ｄに保持した状態で竪樋１１を外壁Ｔに支持固定することができる。
【００２９】
そして、壁面Ｔ１と竪樋１１との間隔が異なる場合においても、竪樋支持具１の取り付け向きを変更させることで、壁面Ｔ１と竪樋１１とを所望の間隔Ｄに保持した状態で竪樋１１を外壁Ｔに支持固定することができるため、寸法別に多くの種類の竪樋支持具１を用意したり、竪樋支持具１と外壁Ｔとの間に設置するスペーサを用意したりする必要がなく、竪樋支持具１の選定や管理にかかる労力を軽減させることができる。
【００３０】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図４に示すように、第２実施形態による竪樋支持具２１は、３つの当接面（以下、第１当接面２２Ａ、第２当接面２２Ｂ、第３当接面２２Ｃとする）と、各当接面にそれぞれ対向する３つの嵌入溝（以下、第１嵌入溝２３Ａ、第２嵌入溝２３Ｂ、第３嵌入溝２３Ｃとする）とを備えている。
【００３１】
竪樋支持具２１は、高さが同じ２つの略直方体の第１部材２１ａおよび第２部材２１ｂが、その高さを合わせて端部どうしで連結された形状に形成されていて、高さ方向（図中の矢印Ａの方向）から見て略Ｌ字型状をしている。
そして、第１部材２１ａには、第２部材２１ｂと連結している端部と反対側の端部に第１嵌入溝２３Ａが形成されている。第２部材２１ｂには、第１部材２１ａと連結している端部と反対側の端部に第２嵌入溝２３Ｂが形成されている。
【００３２】
また、竪樋支持具２１には、第１部材２１ａおよび第２部材２１ｂのが連結している角部２１ｃに、高さ方向に開口する第３嵌入溝２３Ｃが形成されている。
そして、第１嵌入溝２３Ａと対向する面が第１当接面２２Ａとなり、第２嵌入溝２３Ｂと対向する面が第２当接面２２Ｂとなり、第３嵌入溝２３Ｃと対向する面が第３当接面２２Ｃとなるように構成されている。
【００３３】
ここで、第１当接面２２Ａから第１嵌入溝２３Ａの頂部２３Ａａまでの長さをＬ２１，第２当接面２２Ｂから第２嵌入溝２３Ｂの頂部２３Ｂａまでの長さをＬ２２、第３当接面２２Ｃから第３嵌入溝２３Ｃの頂部２３Ｃａまでの長さをＬ２３とすると、これらの長さはそれぞれ異なるように構成されている。本実施形態では、Ｌ２１＝４９ｍｍ、Ｌ２２＝７２ｍｍ、Ｌ２３＝２４ｍｍとなっている。
また、竪樋支持具２１には、第１嵌入溝２３Ａと連通し第１嵌入溝２３Ａから第１当接面２２Ａ側へ貫通する第１貫通孔２６Ａと、第２嵌入溝２３Ｂと連通し第２嵌入溝２３Ｂから第２当接面２２Ｂ側へ貫通する第２貫通孔２６Ｂと、第３嵌入溝２３Ｃと連通し第３嵌入溝２３Ｃから第３当接面２２Ｃ側へ貫通する第３貫通孔２６Ｃとが形成されている。
【００３４】
そして、上記３つの長さＬ２１，Ｌ２２，Ｌ２３から、壁面Ｔ１と竪樋１１との間隔Ｄ（図２および図３参照）と一致する長さを選択し、この長さの方向が壁面Ｔ１から直交する方向となるように竪樋支持具２１の向きを合わせ、外壁Ｔ（図２および図３参照）に竪樋支持具２１を固定する。
続いて、第１嵌入溝２３Ａ、第２嵌入溝２３Ｂ、第３嵌入溝２３Ｃうち、竪樋支持具２１の突出側先端に位置するいずれか１つに、竪樋１１の取付リブ１３（図２および図３参照）を嵌入させることで、壁面Ｔ１と竪樋１１とを所望の間隔Ｄに保持することができるとともに、竪樋１１を外壁Ｔに支持固定することができる。
このように、第２実施形態の竪樋支持具２１においても、第１実施形態と同様の効果を奏する。
【００３５】
（第３実施形態）
図５示すように、第３実施形態による竪樋支持具３１は、３つの当接面（以下、第１当接面３２Ａ、第２当接面３２Ｂ、第３当接面３２Ｃとする）と、各当接面にそれぞれ対向する３つの嵌入溝（以下、第１嵌入溝３３Ａ、第２嵌入溝３３Ｂ、第３嵌入溝３３Ｃとする）とを備えている。
【００３６】
竪樋支持具３１は、略直方体の第１部材３１ａと、第１部材３１ａの１つの面からその面に対して斜めに突出する第２部材３１ｂとを備えている。第１部材３１ａには、隣り合う面に第１嵌入溝３３Ａおよび第２嵌入溝３３Ｂが形成され、第２部材３１ｂの突出側先端には、第３嵌入溝３３Ｃが形成されている。
そして、第１嵌入溝３３Ａと対向する第１当接面３２Ａと、第２嵌入溝３３Ｂと対向する面が第２当接面３２Ｂと、第３嵌入溝３３Ｃと対向する面が第３当接面３２Ｃとが形成されている。本実施形態では、第１当接面３２Ａと第２当接面３２Ｂとの間に第３当接面３２Ｃが形成されている。
【００３７】
ここで、第１当接面３２Ａから第１嵌入溝３３Ａの頂部３３Ａａまでの長さをＬ３１，第２当接面３２Ｂから第２嵌入溝３３Ｂの頂部３３Ｂａまでの長さをＬ３２、第３当接面３２Ｃから第３嵌入溝３３Ｃの頂部３３Ｃａまでの長さをＬ３３とすると、これらの長さはそれぞれ異なるように構成されている。
本実施形態では、Ｌ３１＝７２ｍｍ、Ｌ３２＝２４ｍｍ、Ｌ３３＝４９ｍｍとなっている。
また、竪樋支持具３１には、第１嵌入溝３３Ａと連通し第１嵌入溝３３Ａから第１当接面３２Ａ側へ貫通する第１貫通孔３６Ａと、第２嵌入溝３３Ｂと連通し第２嵌入溝３３Ｂから第２当接面３２Ｂ側へ貫通する第２貫通孔３６Ｂと、第３嵌入溝３３Ｃと連通し第３嵌入溝３３Ｃから第３当接面３２Ｃ側へ貫通する第３貫通孔３６Ｃとが形成されている。
【００３８】
そして、上記３つの長さＬ３１，Ｌ３２，Ｌ３３から、壁面Ｔ１と竪樋１１との間隔Ｄ（図２および図３参照）と一致する長さを選択し、この長さの方向が壁面Ｔ１から直交する方向となるように竪樋支持具３１の向きを合わせ、外壁Ｔ（図２および図３参照）に竪樋支持具３１を固定する。
続いて、第１嵌入溝３２３Ａ、第２嵌入溝３３Ｂ、第３嵌入溝３３Ｃうち、竪樋支持具２１の突出側先端に位置するいずれか１つに、竪樋１１の取付リブ１３（図２および図３参照）を嵌入させることで、壁面Ｔ１と竪樋１１とを所望の間隔Ｄに保持することができるとともに、竪樋１１を外壁Ｔに支持固定することができる。
このように、第３実施形態の竪樋支持具３１においても、第１実施形態と同様の効果を奏する。
【００３９】
以上、本発明による竪樋支持具１の実施形態について説明したが、本発明は上記の実施形態に限定されるものではなく、その趣旨を逸脱しない範囲で適宜変更可能である。
例えば、上述した実施形態では、２つまたは３つの当接面と２つまたは３つの嵌入溝とを備えているが、４つ以上の当接面および４つ以上の嵌入溝が設けられた竪樋支持具１としてもよい。
また、上述した実施形態では、竪樋支持具１は、略直方体や平面視Ｌ字型状となるように形成されているが、これ以外の形状に形成されていてもよい。
また、上述した実施形態では、一対の係止片５，５は、互いに対向する側の端面と竪樋１１側の端面との連続面５ａが、円弧面状の連続面５ａに形成されているが、互いに対向する側の端面が、竪樋１１側から壁面Ｔ１側に向かって対向する係止片５側へ傾斜するテーパ面に形成されていてもよい。
また、上述した実施形態では、図３に示すように、取付リブ１３の軸部１４は、筒状体１２側から係止部１５側まで略一定の幅に形成されているが、筒状体１２側から係止部１５側に向かうに従い、漸次その幅が大きくなるように形成されていてもよい。
【符号の説明】
【００４０】
１，２１，３１  竪樋支持具
２Ａ，２２Ａ，３２Ａ  第１当接面（当接面）
２Ｂ，２２Ｂ，３２Ｂ  第２当接面（当接面）
２２Ｃ，３２Ｃ  第３当接面（当接面）
３Ａ，２３Ａ，３３Ａ  第１嵌入溝（嵌入溝）
３Ｂ，２３Ｂ，３３Ｂ  第２嵌入溝（嵌入溝）
２３Ｃ，３３Ｃ  第３嵌入溝（嵌入溝）
３ａ，３Ａａ，３Ｂａ，２３Ａａ，２３Ｂａ，２３Ｃａ，３３Ａａ，３３Ｂａ，３３Ｃａ  頂部
１１  竪樋
１２  筒状体
１３  取付リブ
Ｔ  外壁
Ｔ１  壁面
【図１】
0005530349.tif 000002
【図２】
0005530349.tif 000003
【図３】
0005530349.tif 000004
【図４】
0005530349.tif 000005
【図５】
0005530349.tif 000006